【手続補正書】
【提出日】平成27年4月17日(2015.4.17)
【手続補正１】
【補正対象書類名】特許請求の範囲
【補正対象項目名】全文
【補正方法】変更
【補正の内容】
【特許請求の範囲】
【請求項１】
実質的に液相である、ある容積の廃棄物有機液体の容積削減のための方法であって、該方法は、
混合物を産生するために、該廃棄物有機液体を多孔性母材材料と混合することと、
該混合物の一部分を加熱することと、
オキシダントを該混合物に押し込むことと、
該混合物に印加される熱の源を停止させることと
を含み、
該多孔性母材材料を混合することは、
該廃棄物有機液体および該多孔性材料を容器の中へバッチ式送給すること、または
該多孔性母材材料または該廃棄物有機液体のうちの一方を含む閉込めベッドを形成すること、および該多孔性母材材料または該廃棄物有機液体のうちの他方を該閉込めベッドの中へ連続的に注入すること
を含み、
それにより、該混合物の自続燻焼燃焼を開始して、該廃棄物有機液体の容積削減を生じさせる、方法。
【請求項２】
前記燃焼の伝播を該燃焼の点火点から離れるように生じさせることをさらに含む、請求項１に記載の廃棄物有機液体の容積削減のための方法。
【請求項３】
前記廃棄物有機液体を反応容器の中において集合させることをさらに含む、請求項１および２のいずれか一項に記載の廃棄物有機液体の容積削減のための方法。
【請求項４】
前記廃棄物有機液体を、前記多孔性母材材料を含む堆積物の中において集合させることをさらに含む、請求項１および２のいずれか一項に記載の廃棄物有機液体の容積削減のための方法。
【請求項５】
前記多孔性母材を有機液体ラグーンの中において集合させることをさらに含む、請求項１および２のいずれか一項に記載の廃棄物有機液体の容積削減のための方法。
【請求項６】
前記混合物を燻焼燃焼ゾーンの中へ連続的に送給することをさらに含む、請求項１〜５のいずれか一項に記載の廃棄物有機液体の容積削減のための方法。
【請求項７】
混合ツールを使用することをさらに含み、該混合ツールは、前記多孔性母材材料を前記廃棄物有機液体と混合して前記混合物を産生する、請求項１〜６のいずれか一項に記載の廃棄物有機液体の容積削減のための方法。
【請求項８】
前記混合ツールは、回転する螺旋ブレードを含む、請求項７に記載の廃棄物有機液体の容積削減のための方法。
【請求項９】
前記混合物を産生するために、前記多孔性母材材料を前記廃棄物有機液体と混合することは、
該多孔性母材材料を含む恒久的または半恒久的な閉込めベッドを形成することと、
該廃棄物有機液体を該閉込めベッドの中へ連続的に注入することと
を含む、請求項１または３〜８のいずれか一項に記載の廃棄物有機液体の容積削減のための方法。
【請求項１０】
オキシダントを前記混合物に押し込むことは、導入ポートを通して空気を該混合物の中へ導入することを含む、請求項１〜９のいずれか一項に記載の廃棄物有機液体の容積削減のための方法。
【請求項１１】
前記混合物を産生するために、螺旋混合ツールを使用して、前記多孔性母材材料を前記廃棄物有機液体と混合することと、
第１のコンベヤシステムを介して、該混合物を燻焼燃焼ゾーンの中へ供給することと、
第２のコンベヤシステムを介して、燃焼生成物を除去することと
をさらに含む、請求項１、２、４、５、６、または９に記載の廃棄物有機液体の容積削減のための方法。
【請求項１２】
前記混合物は、不燃性材料を含み、前記方法は、該不燃性材料の一部または全部が、燻焼熱への暴露によってより低い毒性になるまで、自続燻焼燃焼を維持するステップをさらに含む、請求項１〜１１のいずれか一項に記載の廃棄物有機液体の容積削減のための方法。
【請求項１３】
集合体を形成するために、前記廃棄物有機液体を反応容器、母材堆積物またはラグーンの中において集合させることと、
植物油、タール、化学オキシダント、掘削泥水、および石油炭化水素から成る群から選択される補助燃料を該集合体に添加することと
をさらに含む、請求項１〜１２のいずれか一項に記載の廃棄物有機液体の容積削減のための方法。
【請求項１４】
前記多孔性母材材料は、前記廃棄物有機液体と共に混合物を産生するために、砂、土壌、沈泥、肥土、充填材、丸石、砂利、砕石、ガラス、セラミック、ゼオライト、木くず、木炭、石炭、ドリル切削くず、およびそれらの組み合わせから成る群から選択され、該混合物は、自続燻焼燃焼を可能にする程に十分に均一である、請求項１〜１３のいずれか一項に記載の廃棄物有機液体の容積削減のための方法。
【手続補正２】
【補正対象書類名】明細書
【補正対象項目名】００３５
【補正方法】変更
【補正の内容】
【００３５】
実施形態の前述の特徴は、付随の図面に関連して、以下の発明を実施するための形態を参照することによって、より容易に理解されるであろう。
本発明は、例えば、以下を提供する。
（項目１）
有機液体の容積削減のための方法であって、該方法は、
混合物を産生するために、有機液体を多孔性母材材料と混合することと、
該混合物の一部分を加熱することと、
オキシダントを該混合物に押し込むことと、
該混合物に印加される熱の源を停止させることと
を含み、
それにより、該混合物の自続燻焼燃焼を開始して、該有機液体の容積削減を生じさせる、方法。
（項目２）
前記燃焼の伝播を該燃焼の点火点から離れるように生じさせることをさらに含む、項目１に記載の有機液体の容積削減のための方法。
（項目３）
前記有機液体を反応容器の中において集合させることをさらに含む、項目１および２のいずれかに記載の有機液体の容積削減のための方法。
（項目４）
前記有機液体を前記多孔性母材材料を含む堆積物の中において集合させることをさらに含む、項目１および２のいずれかに記載の有機液体の容積削減のための方法。
（項目５）
前記多孔性母材を有機液体ラグーンの中において集合させることをさらに含む、項目１および２のいずれかに記載の有機液体の容積削減のための方法。
（項目６）
前記混合物を燻焼燃焼ゾーンの中へ連続的に送給することをさらに含む、項目１〜５のいずれかに記載の有機液体の容積削減のための方法。
（項目７）
前記多孔性母材材料を混合することは、前記液体および該多孔性材料を前記容器の中へバッチ式送給することを含む、項目１〜５のいずれかに記載の有機液体の容積削減のための方法。
（項目８）
混合ツールを使用することをさらに含み、該混合ツールは、前記多孔性母材材料を前記液体と混合して前記混合物を産生する、項目１〜７のいずれかに記載の有機液体の容積削減のための方法。
（項目９）
前記混合ツールは、回転する螺旋ブレードを含む、項目８に記載の有機液体の容積削減のための方法。
（項目１０）
前記混合物を産生するために、前記多孔性母材材料を前記液体と混合することは、
該多孔性母材材料を含む恒久的または半恒久的な閉込めベッドを形成することと、
該液体を該閉込めベッドの中へ連続的に注入することと
を含む、項目１に記載の有機液体の容積削減のための方法。
（項目１１）
前記混合物を産生するために、前記多孔性母材材料を前記液体と混合することは、
前記有機液体を含む閉込めベッドを形成することと、
該多孔性母材材料を該閉込めベッドの中へ連続的に注入することと
を含む、項目１に記載の有機液体の容積削減のための方法。
（項目１２）
前記有機液体を自然地盤または造成地盤の中において集合させることをさらに含む、項目１および２のいずれかに記載の有機液体の容積削減のための方法。
（項目１３）
オキシダントを前記混合物に押し込むことは、導入ポートを通して空気を該混合物の中へ導入することを含む、項目１〜１２のいずれかに記載の有機液体の容積削減のための方法。
（項目１４）
燻焼燃焼を開始することは、前記混合物に直接接触している内部伝導加熱源から、熱を該混合物に印加することを含む、項目１〜１３のいずれかに記載の有機液体の容積削減のための方法。
（項目１５）
燻焼燃焼を開始することは、前記混合物に連結された対流加熱源から、熱を該混合物に印加することを含む、項目１〜１３のいずれかに記載の有機液体の容積削減のための方法。
（項目１６）
前記対流加熱源は、前記混合物の外部にある、項目１５に記載の有機液体の容積削減のための方法。
（項目１７）
前記対流加熱源は、前記混合物の内部に位置する、項目１５に記載の有機液体の容積削減のための方法。
（項目１８）
燻焼燃焼を開始することは、放射熱を前記混合物に印加することを含む、項目１〜１３のいずれかに記載の有機液体の容積削減のための方法。
（項目１９）
オキシダントを前記混合物に押し込むことは、複数の導入ポートを通して空気を該混合物の中へ導入することを含む、項目１３に記載の有機液体の容積削減のための方法。
（項目２０）
オキシダントを前記混合物に押し込むことは、該混合物を通してオキシダントを吸引するための真空を生成することを含む、項目１３に記載の有機液体の容積削減のための方法。
（項目２１）
燻焼燃焼を開始することは、複数の加熱源のうちの少なくとも１つから、熱を前記混合物に印加することを含む、項目１〜２０のいずれかに記載の有機液体の容積削減のための方法。
（項目２２）
前記複数の加熱源のうちの少なくとも１つは、前記混合物の外部にある対流加熱源である、項目２１に記載の有機液体の容積削減のための方法。
（項目２３）
前記複数の加熱源のうちの少なくとも１つは、前記混合物の内部に位置する対流加熱源である、項目２１に記載の有機液体の容積削減のための方法。
（項目２４）
前記複数の加熱源のうちの少なくとも１つは、前記混合物と直接接触している内部伝導加熱源である、項目２１に記載の有機液体の容積削減のための方法。
（項目２５）
前記複数の加熱源のうちの少なくとも１つは、放射熱を前記混合物に印加する、項目２１に記載の有機液体の容積削減のための方法。
（項目２６）
前記混合物を産生するために、螺旋混合ツールを使用して、前記多孔性母材材料を前記液体と混合することと、
第１のコンベヤシステムを介して、該混合物を前記燻焼燃焼ゾーンの中へ供給することと、
第２のコンベヤシステムを介して、燃焼生成物を除去することと
をさらに含む、項目８に記載の有機液体の容積削減のための方法。
（項目２７）
前記有機液体を地表面の上方に集合させることをさらに含む、項目１〜２６のいずれかに記載の有機液体の容積削減のための方法。
（項目２８）
前記有機液体を地表面の下方に集合させることをさらに含む、項目１〜２７のいずれかに記載の有機液体の容積削減のための方法。
（項目２９）
前記有機液体を自然地盤または造成地盤の内部において集合させることをさらに含む、項目１〜２８のいずれかに記載の有機液体の容積削減のための方法。
（項目３０）
前記多孔性母材材料は、砂、土壌、沈泥、肥土、充填材、丸石、砂利、砕石、ガラス、セラミック、ゼオライト、木くず、木炭、石炭、ドリル切削くず、およびそれらの組み合わせから成る群から選択される、項目１〜２９のいずれかに記載の有機液体の容積削減のための方法。
（項目３１）
２００〜２０００℃の範囲内の温度で、前記燻焼燃焼を実行することをさらに含む、項目１〜３０のいずれかに記載の有機液体の容積削減のための方法。
（項目３２）
０．０００１〜１００センチメートル／秒の線速度で、空気を前記混合物に押し込むことをさらに含む、項目１〜３１のいずれかに記載の有機液体の容積削減のための方法。
（項目３３）
燃焼に先立って、燃料添加材を前記多孔性母材材料および前記液体と混合することをさらに含む、項目１〜３２のいずれかに記載の方法。
（項目３４）
前記有機液体は、液体である、項目１〜３３のいずれかに記載の方法。
（項目３５）
前記有機液体は、スラッジである、項目１〜３４のいずれかに記載の方法。
（項目３６）
前記有機液体は、重金属を含み、前記方法は、該重金属の一部または全部が、前記混合物から除去されるまで、自続燻焼燃焼を維持するステップをさらに含む、項目１〜３５のいずれかに記載の方法。
（項目３７）
前記多孔性母材は、重金属を含有し、前記方法は、該重金属の一部または全部が、前記混合物から除去されるまで、自続燻焼燃焼を維持するステップをさらに含む、項目１〜３６のいずれかに記載の方法。
（項目３８）
前記重金属は、水銀である、項目３６に記載の方法。
（項目３９）
前記重金属は、水銀である、項目３７に記載の方法。
（項目４０）
前記有機液体は、石綿を含み、前記方法は、該石綿の一部または全部が、前記燻焼熱への暴露によってより低い毒性または無毒性になるまで、自続燻焼燃焼を維持するステップをさらに含む、項目１〜３９のいずれかに記載の方法。
（項目４１）
前記多孔性母材は、石綿を含有し、前記方法は、前記石綿の一部または全部が、前記燻焼熱への暴露によってより低い毒性または無毒性になるまで、自続燻焼燃焼を維持するステップをさらに含む、項目１〜４０のいずれかに記載の方法。
（項目４２）
前記多孔性母材は、湿気を含有する土壌であり、前記方法は、該湿気の一部または全部が、該土壌から除去されるまで、自続燻焼燃焼を維持するステップをさらに含む、項目１〜４１のいずれかに記載の方法。
（項目４３）
有機液体の容積削減のための方法であって、該方法は、
集合体を形成するために、該有機液体を反応容器、母材堆積物またはラグーンの中において集合させることと、
植物油、タール、化学オキシダント、掘削泥水、および石油炭化水素から成る群から選択される補助燃料を該集合体に添加することと、
混合物を産生するために、砂、土壌、沈泥、肥土、充填材、丸石、砂利、砕石、ガラス、セラミック、ゼオライト、木くず、木炭、石炭、ドリル切削くず、およびそれらの組み合わせから成る群から選択される多孔性母材材料を、該液体と混合することであって、該混合物は、自続燻焼燃焼を可能にする程に十分に均一である、ことと、
少なくとも１つの伝導、対流、または放射加熱器を用いて、該混合物の一部分を加熱することと、
少なくとも１つの空気供給ポートから、オキシダントを該混合物に押し込むことと、
該混合物に印加される熱の源を停止させることと、
少なくとも１つの空気供給ポートから、空気を該混合物に押し込むことと
を含み、
それにより、該混合物の自続燻焼燃焼を開始して、該有機液体の容積削減を生じさせる、方法。